(57)【要約】【課題】  加工装置の骨組みに装着された外装カバーのばたつきを防止するばたつき防止機構を提供することである。【解決手段】  加工装置の骨組みに装着される外装カバーのばたつきを防止するばたつき防止機構であって、該骨組みに装着された、先端に係止面を有する弾性体から形成されたばたつき防止部材を具備し、該外装カバーを該骨組みに装着したとき、該ばたつき防止部材の該係止面が該外装カバーに当接して該外装カバーのばたつきを防止することを特徴とする。【選択図】図４
2011189468.tif 000002
【特許請求の範囲】
【請求項１】
加工装置の骨組みに装着される外装カバーのばたつきを防止するばたつき防止機構であって、
該骨組みに装着された、先端に係止面を有する弾性体から形成されたばたつき防止部材を具備し、
該外装カバーを該骨組みに装着したとき、該ばたつき防止部材の該係止面が該外装カバーに当接して該外装カバーのばたつきを防止することを特徴とするばたつき防止機構。
【請求項２】
加工装置の骨組みに装着される外装カバーのばたつきを防止するばたつき防止機構であって、
外装カバーに装着された、先端に係止面を有する弾性体から形成されたばたつき防止部材と、
該骨組みに固定されたブラケットとを具備し、
該外装カバーが該骨組みに装着されたとき、該ばたつき防止部材の該係止面が該ブラケットに当接して該外装カバーのばたつきを防止することを特徴とするばたつき防止機構。
【発明の詳細な説明】
【技術分野】
【０００１】
本発明は、加工装置の骨組みに装着される外装カバーのばたつきを防止するばたつき防止機構に関する。
【背景技術】
【０００２】
通常、産業機械や製造装置は、装置の外形を形作る骨組み（骨格）を有し、この骨組み上や骨組みの内部に駆動部や制御部が組み付けられて構成される。これらの駆動部や制御部を保護する目的、駆動部が駆動中に作業者が駆動部にアクセスすることを防止する目的、又は装置の外観性を確保する目的等により、骨組みの外側には外装カバーが装着される。
【０００３】
例えば、特開２００７−３３１０５０号公報には、このような外装カバーを備えた加工装置が開示されている。この加工装置は、外装カバーに形成された係合爪と、骨組みに形成された被係合部とを備え、骨組みに形成された被係合部に外装カバーの係合爪が係合することで、骨組みに外装カバーが装着される。
【先行技術文献】
【特許文献】
【０００４】
【特許文献１】特開２００７−３３１０５０号公報
【発明の概要】
【発明が解決しようとする課題】
【０００５】
特許文献１に開示された外装カバー装着構造では、外装カバーは係合爪と被係合部との引っかかりで係合されているだけなので、外装カバーを骨組みへ取り付けた後に外装カバーがばたつき、外装カバーと骨組みが擦れて外装カバーや骨組みに傷がつく上、塵が発生するという不具合があった。
【０００６】
本発明はこのような点に鑑みてなされたものであり、その目的とするところは、加工装置の骨組みに装着された外装カバーのばたつきを防止するばたつき防止機構を提供することである。
【課題を解決するための手段】
【０００７】
請求項１記載の発明によると、加工装置の骨組みに装着される外装カバーのばたつきを防止するばたつき防止機構であって、該骨組みに装着された、先端に係止面を有する弾性体から形成されたばたつき防止部材を具備し、該外装カバーを該骨組みに装着したとき、該ばたつき防止部材の該係止面が該外装カバーに当接して該外装カバーのばたつきを防止することを特徴とするばたつき防止機構が提供される。
【０００８】
請求項２記載の発明によると、加工装置の骨組みに装着される外装カバーのばたつきを防止するばたつき防止機構であって、外装カバーに装着された、先端に係止面を有する弾性体から形成されたばたつき防止部材と、該骨組みに固定されたブラケットとを具備し、該外装カバーが該骨組みに装着されたとき、該ばたつき防止部材の該係止面が該ブラケットに当接して該外装カバーのばたつきを防止することを特徴とするばたつき防止機構が提供される。
【発明の効果】
【０００９】
本発明によると、弾性部材から形成されたばたつき防止部材を加工装置の骨組み又は外装カバーに装着して、対向する外装カバー又は骨組み側を係止する。従って、骨組みに装着された外装カバーのばたつきが防止され、塵が発生することがない。
【図面の簡単な説明】
【００１０】
【図１】本発明のばたつき防止機構を採用した加工装置の外観斜視図である。
【図２】ばたつき防止部材の斜視図である。
【図３】骨組みにばたつき防止部材を取り付けた状態の斜視図である。
【図４】骨組みにばたつき防止部材を取り付け、外装カバーを骨組みに装着した状態の断面図である。
【図５】ロック部（錠部）の拡大斜視図である。
【図６】図５に対応する外装カバーの裏側にばたつき防止部材を取り付けた状態の斜視図である。
【図７】外装カバーにばたつき防止部材を取り付け、外装カバーを骨組みに装着した状態の断面図である。
【発明を実施するための形態】
【００１１】
以下、本発明の実施形態を図面を参照して詳細に説明する。図１を参照すると、本発明実施形態に係るばたつき防止機構を装着した加工装置２の外観斜視図が示されている。加工装置２は例えば切削装置から構成され、骨組み（骨格）４内に切削装置の機械的構成要素であるチャックテーブル、切削ブレードを備えた切削ユニット、ウエーハの切削すべき領域を検出する撮像装置を備えたアライメントユニット、スピンナ洗浄装置、ウエーハを搬送する搬送装置等が収容されている。
【００１２】
符号６，８，１０は加工装置２の骨組み４に取り外し可能に装着される外装カバーであり、これらの外装カバー４，８，１０及び骨組み４に固定された複数のパネル５によりハウジング３が構成される。
【００１３】
オペレータが加工装置２を操作する操作側には、オペレーション表示モニタ１２が配設されている。このオペレーション表示モニタ１２はタッチパネル式であり、オペレータはモニタ１２に表示された情報にタッチすることにより、加工装置２にコマンドを入力することができるとともに、加工装置２の稼動状況がこのモニタ１２上に表示される。
【００１４】
１４は加工装置２の稼動状況を表示する表示ランプであり、加工装置２が正常作動時には例えば緑色で点灯し、何らかの故障が生じた場合には赤色が点滅する。１６は非常停止ボタンであり、オペレータがこの非常停止ボタン１６を押すと加工装置２の作動を直ちに停止することができる。
【００１５】
加工装置２の操作側には、観音開きに開閉可能な扉１８，２０が設けられている。例えば、加工装置２のチャックテーブルにウエーハを装着したり、又はスピンドルに装着された切削ブレードを交換したい等の場合には、これらの扉１８，２０を開閉して作業を実施する。
【００１６】
外装カバー６，８，１０を加工装置２の骨組み４に装着した状態で外装カバーを固定する、ロック（錠）２２が外装カバー６，８，１０にそれぞれ設けられている。
【００１７】
次に、図２乃至図７を参照して、本発明実施形態に係るばたつき防止機構について詳細に説明する。図２を参照すると、弾性体から形成されたばたつき防止部材２４の斜視図が示されている。
【００１８】
ばたつき防止部材２４の弾性体としては、クロロプレンゴムスポンジ等のゴムスポンジを好適に使用することができる。ばたつき防止部材２４は、骨組み４又は外装カバー６に装着される装着面２４ａと、装着面２４ａに対向した係止面２４ｂを有している。ばたつき防止部材２４の両側部には溝２５が形成されている。
【００１９】
図３を参照すると、加工装置２の骨組み４は縦方向に伸長する溝２６を有しており、ばたつき防止部材２４の基端部２７を指でつまんで押しつぶした後、この溝２６中に押し込むことにより、ばたつき防止部材２４が骨組み４に固定される。
【００２０】
このようにばたつき防止部材２４を骨組み４に固定した後、図４に示すように外装カバー６を骨組み４に装着すると、ばたつき防止部材２４の係止面２４ｂが外装カバー６に当接又は圧接して、外装カバー６がばたつくのを防止することができる。
【００２１】
次に、図５乃至図７を参照して、ばたつき防止機構の第２実施形態について説明する。図５を参照すると、外装カバー６に装着されたロック２２を含む周辺部分の拡大斜視図が示されている。ロック２２はＴ形状の鍵穴２２ａを有している。
【００２２】
一方、骨組み４にはロック２２の係合片２２ｃが係合して外装カバー６をロックするブラケット（係止部材）２８が固定されている。図６を参照すると、図５に対応する外装カバー６の裏面側斜視図が示されており、外装カバー６には取付金具３２がスポット溶接等により固定されている。
【００２３】
図７に示すように、取付金具３２にはロック２２の本体２２ｂが挿入される穴３２ａと、弾性体から形成されたばたつき防止部材３４が圧入されて固定される穴３２ｂが形成されている。ばたつき防止部材３４は、図２に示したばたつき防止部材２４と同様に、ゴムスポンジ等の弾性体から形成されている。
【００２４】
ロック２２の本体２２ｂからはロック片２２ｃがスプリング力により突出している。ロック２２の鍵穴２２ａに鍵を差し込むと、このスプリング力が解除されてロック片２２ｃは本体２２ｂ方向に引っ込みロックが解除される。
【００２５】
従って、外装カバー６を骨組み４に装着するには、ロック２２の鍵穴２２ａ中に鍵を差し込んだまま装着し、装着後に鍵穴２２ａ中から鍵を引き抜くと、図７に示すようにロック片２２ｃが飛び出してブラケット２８に係合し、外装カバー６が骨組み４に装着されたままロックされる。これと同時に、ばたつき防止部材３４の装着面３４ａが外装カバー６の内面に圧接し、係止面３４ｂが取付金具２８に圧接するため、外装カバー６のばたつきが防止される。
【符号の説明】
【００２６】
２    加工装置
３    ハウジング
４    骨組み（骨格）
６，８，１０    外装カバー
２２    ロック
２４，３４    ばたつき防止部材
２４ａ，３４ａ    装着面
２４ｂ，３４ｂ    係止面
２６    溝
２８    ブラケット（係止部材）
３２    取付金具
【図１】
2011189468.tif 000003
【図２】
2011189468.tif 000004
【図３】
2011189468.tif 000005
【図４】
2011189468.tif 000006
【図５】
2011189468.tif 000007
【図６】
2011189468.tif 000008
【図７】
2011189468.tif 000009